(57)【特許請求の範囲】
【請求項１】
接着剤組成物の第１成分と第２成分とを混合する混合トレーとして使用される混合トレー用ブランクシートであって、
内側に向かって凸状の円弧状に形成される折曲自在な折目線を備え、
前記折目線は、前記ブランクシートの少なくとも一組の対向する両側縁に設けられ、
前記折目線に沿って折り曲げられることにより、底板部と前記底板部から立ち上がる側板部とを備え、
前記側板部が片手で把持可能な把持部として構成される混合トレーが形成される、ブランクシート。
【請求項２】
上記折目線は半切加工によって形成されている、請求項１に記載のブランクシート。
【請求項３】
前記ブランクシートが角部を有し、前記角部に面取り加工が施されている、請求項１又は２記載のブランクシート。
【請求項４】
前記ブランクシートが略矩形状である、請求項１から３のいずれかに記載のブランクシート。
【請求項５】
難接着素材からなる、請求項１から４のいずれかに記載のブランクシート。
【請求項６】
請求項１から５のいずれかに記載のブランクシートと、接着剤組成物の第１成分を収容する第１収容器と、接着剤組成物の第２成分を収容する第２収容器と、前記第１収容器から取り出された第１成分と前記第２収容器から取り出された第２成分とを混合及び／又は塗布するためのヘラとが、同一の包装部材により包装されてなる、接着剤キット。
【請求項７】
請求項１から５のいずれかに記載のブランクシートによって形成された混合トレーを、接着剤組成物の第１成分と第２成分とを混合するために使用する混合方法。
【発明の詳細な説明】
【技術分野】
【０００１】
本発明は、接着剤組成物の第１成分と第２成分とを混合する混合トレーとして使用される混合トレー用ブランクシート及び接着剤キットに関する。
【背景技術】
【０００２】
従来より、エポキシ系接着剤等の二液混合型接着剤は、主剤等の第１成分と硬化剤等の第２成分とを別の収容器にそれぞれ収納しておき、使用時に第１成分及び第２成分を混合してから使用する。例えば、混合する際に使用する混合トレーとして、平板状のプラスチック板が用いられている（非特許文献１参照）。このような混合トレーとして使用される平板状のプラスチック板は、平板状に形成されているため、第１成分及び第２成分を収容する収容器と共に包装部材内に収納することが容易で、収納性に優れている。
【先行技術文献】
【非特許文献】
【０００３】
【非特許文献１】セメダイン株式会社、［平成２８年３月２０日検索］、インターネット＜ＵＲＬ：ｈｔｔｐ：／／ｗｗｗ．ｃｅｍｅｄｉｎｅ．ｃｏ．ｊｐ／ｐｒｏｄｕｃｔ／ｄｏｍｅｓｔｉｃ／ｅｐｏｘｙ／ｈｉｇｈｓｕｐｅｒ＿３０．ｈｔｍｌ＞
【発明の概要】
【発明が解決しようとする課題】
【０００４】
しかしながら、上述したように混合トレーが平板状である場合、混合トレー上でヘラ等を用いて第１成分及び第２成分（以下、接着剤と称することがある）を混合する際や、混合された接着剤を被塗布物に塗布する際に、接着剤が混合トレーからハミ出たり、接着剤が作業者の手や身体に付着したりすることがあった。また、混合トレーが平板状であると、作業者は混合トレーを把持し難いため、混合トレーを固定しながら接着剤を混合しにくく、また必要に応じて混合トレーを移動しにくい。このように、これまでの平板状の混合トレーは、作業性、利便性の点で改良の余地があった。
【０００５】
本発明は、上述した事情に鑑みなされたものであり、収納性に優れ、且つ作業性、利便性に優れる混合トレー用ブランクシート及び接着剤キットを提供することを目的とする。
【課題を解決するための手段】
【０００６】
本発明者らは、上記課題を解決するために鋭意研究を重ねた。その結果、これまでの平板状の混合トレーを所定の形状に可逆的に変形可能とすることにより、収納性に優れ、且つ作業性及び利便性を格段に向上させることができることを見出し、本発明を完成するに至った。
【０００７】
具体的に、本発明は、以下のものを提供する。
（１）本発明は、接着剤組成物の第１成分と第２成分とを混合する混合トレーとして使用される混合トレー用ブランクシートであって、内側に向かって凸状の円弧状に形成される折曲自在な折目線を備え、前記折目線に沿って折り曲げられることにより、底板部と前記底板部から立ち上がる側板部とを備える混合トレーが形成される、ブランクシートである。
【０００８】
（２）また、本発明は、前記折目線は、前記ブランクシートの少なくとも一組の対向する両側縁に設けられ、前記折目線に沿って折り曲げられることによって立ち上げられた前記側板部が片手で把持可能な把持部として構成される、（１）に記載のブランクシートである。
【０００９】
（３）また、本発明は、上記折目線は半切加工によって形成されている、（１）又は（２）に記載のブランクシートである。
【００１０】
（４）また、本発明は、前記ブランクシートが角部を有し、前記角部に面取り加工が施されている、（１）から（３）のいずれかに記載のブランクシートである。
【００１１】
（５）また、本発明は、前記ブランクシートが略矩形状である、（１）から（４）のいずれかに記載のブランクシートである。
【００１２】
（６）また、本発明は、難接着素材からなる、（１）から（５）のいずれかに記載のブランクシートである。
【００１３】
（７）また、本発明は、（１）から（６）のいずれかに記載のブランクシートと、接着剤組成物の第１成分を収容する第１収容器と、接着剤組成物の第２成分を収容する第２収容器と、前記第１収容器から取り出された第１成分と前記第２収容器から取り出された第２成分とを混合及び／又は塗布するためのヘラとが、同一の包装部材により包装されてなる、接着剤キットである。
【発明の効果】
【００１４】
本発明によれば、収納性に優れ、且つ作業性、利便性に優れる混合トレー用ブランクシート及び接着剤セットを提供できる。
【図面の簡単な説明】
【００１５】
【図１】第１の実施形態に係る混合トレー用ブランクシートの構成を示す底面側斜視図である。
【図２】第１の実施形態に係る混合トレー用ブランクシートの構成を示す正面図である。
【図３】第１の実施形態に係る混合トレー用ブランクシートの構成を示す平面図である。
【図４】第１の実施形態に係る混合トレー用ブランクシートの構成を示す底面図である。
【図５】第１の実施形態に係る混合トレー用ブランクシートの構成を示す背面図である。
【図６】第１の実施形態に係る混合トレー用ブランクシートの構成を示す左側面図である。
【図７】第１の実施形態に係る混合トレー用ブランクシートの構成を示す右側面図である。
【図８】第１の実施形態に係る混合トレー用ブランクシートの底面図中央縦切断部拡大断面図である。
【図９】第１の実施形態に係る混合トレー用ブランクシートの底面図中央横切断部端面図である。
【図１０】第１の実施形態に係る混合トレー用ブランクシートの底面図中央横切断部拡大端面図である。
【図１１】第１の実施形態に係る使用時の混合トレーの構成を示す平面側斜視図である。
【図１２】第１の実施形態に係る使用時の混合トレーの構成を示す正面図である。
【図１３】第１の実施形態に係る使用時の混合トレーの構成を示す平面図である。
【図１４】第１の実施形態に係る使用の混合トレーの構成を示す底面図である。
【図１５】第１の実施形態に係る使用時の混合トレーの構成を示す右側面図である。
【図１６】第１の実施形態に係る混合トレーの使用状態を示す斜視図である。
【図１７】第１の実施形態に係る混合トレーとヘラの使用状態を示す斜視図である。
【図１８】第２の実施形態に係る混合トレー用ブランクシートの構成を示す底面側斜視図である。
【図１９】第２の実施形態に係る混合トレー用ブランクシートの構成を示す正面図である。
【図２０】第２の実施形態に係る混合トレー用ブランクシートの構成を示す平面図である。
【図２１】第２の実施形態に係る混合トレー用ブランクシートの構成を示す底面図である。
【図２２】第２の実施形態に係る混合トレー用ブランクシートの構成を示す背面図である。
【図２３】第２の実施形態に係る混合トレー用ブランクシートの構成を示す左側面図である。
【図２４】第２の実施形態に係る混合トレー用ブランクシートの構成を示す右側面図である。
【図２５】第２の実施形態に係る使用時の混合トレーの構成を示す平面側斜視図である。
【図２６】第３の実施形態に係る混合トレー用ブランクシートの構成を示す底面側斜視図である。
【図２７】第３の実施形態に係る混合トレー用ブランクシートの構成を示す正面図である。
【図２８】第３の実施形態に係る混合トレー用ブランクシートの構成を示す平面図である。
【図２９】第３の実施形態に係る混合トレー用ブランクシートの構成を示す底面図である。
【図３０】第３の実施形態に係る混合トレー用ブランクシートの構成を示す背面図である。
【図３１】第３の実施形態に係る混合トレー用ブランクシートの構成を示す左側面図である。
【図３２】第３の実施形態に係る混合トレー用ブランクシートの構成を示す右側面図である。
【図３３】第３の実施形態に係る使用時の混合トレーの構成を示す平面側斜視図である。
【図３４】第４の実施形態に係る混合トレー用ブランクシートの構成を示す底面側斜視図である。
【図３５】第４の実施形態に係る混合トレー用ブランクシートの構成を示す正面図である。
【図３６】第４の実施形態に係る混合トレー用ブランクシートの構成を示す平面図である。
【図３７】第４の実施形態に係る混合トレー用ブランクシートの構成を示す底面図である。
【図３８】第４の実施形態に係る混合トレー用ブランクシートの構成を示す背面図である。
【図３９】第４の実施形態に係る混合トレー用ブランクシートの構成を示す左側面図である。
【図４０】第４の実施形態に係る混合トレー用ブランクシートの構成を示す右側面図である。
【図４１】第４の実施形態に係る使用時の混合トレーの構成を示す平面側斜視図である。
【図４２】部分意匠の表現方法に基づいて表現する、第４の実施形態に係る混合トレー用ブランクシートの構成を示す底面側斜視図である。
【図４３】部分意匠の表現方法に基づいて表現する、第４の実施形態に係る混合トレー用ブランクシートの構成を示す正面図である。
【図４４】部分意匠の表現方法に基づいて表現する、第４の実施形態に係る混合トレー用ブランクシートの構成を示す平面図である。
【図４５】部分意匠の表現方法に基づいて表現する、第４の実施形態に係る混合トレー用ブランクシートの構成を示す底面図である。
【図４６】部分意匠の表現方法に基づいて表現する、第４の実施形態に係る混合トレー用ブランクシートの構成を示す背面図である。
【図４７】部分意匠の表現方法に基づいて表現する、第４の実施形態に係る混合トレー用ブランクシートの構成を示す左側面図である。
【図４８】部分意匠の表現方法に基づいて表現する、第４の実施形態に係る混合トレー用ブランクシートの構成を示す右側面図である。
【図４９】部分意匠の表現方法に基づいて表現する、第４の実施形態に係る使用時の混合トレーの構成を示す平面側斜視図である。
【発明を実施するための形態】
【００１６】
以下、本発明の実施形態について詳細に説明するが、本発明は、以下の実施形態に何ら限定されるものではなく、本発明の目的の範囲内において、適宜変更を加えて実施することができる。
【００１７】
＜混合トレー用ブランクシート＞
［第１の実施形態］
【００１８】
図１は第１の実施形態に係る混合トレー用ブランクシートの構成を示す底面側斜視図である。図２は第１の実施形態に係る混合トレー用ブランクシートの構成を示す正面図である。図３は第１の実施形態に係る混合トレー用ブランクシートの構成を示す平面図である。図４は第１の実施形態に係る混合トレー用ブランクシートの構成を示す底面図である。図５は第１の実施形態に係る混合トレー用ブランクシートの構成を示す背面図である。図６は第１の実施形態に係る混合トレー用ブランクシートの構成を示す左側面図である。図７は第１の実施形態に係る混合トレー用ブランクシートの構成を示す右側面図である。図８は第１の実施形態に係る混合トレー用ブランクシートの底面図中央縦切断部拡大断面図である。図９は第１の実施形態に係る混合トレー用ブランクシートの底面図中央横切断部端面図である。図１０は第１の実施形態に係る混合トレー用ブランクシートの底面図中央横切断部拡大端面図である。なお、図１０中二点鎖線で切断した部分は中間部を省略した部分を示す。
【００１９】
図１１は第１の実施形態に係る使用時の混合トレーの構成を示す平面側斜視図である。図１２は第１の実施形態に係る使用時の混合トレーの構成を示す正面図である。図１３は第１の実施形態に係る使用時の混合トレーの構成を示す平面図である。図１４は第１の実施形態に係る使用の混合トレーの構成を示す底面図である。図１５は第１の実施形態に係る使用時の混合トレーの構成を示す右側面図である。図１６は第１の実施形態に係る混合トレーの使用状態を示す斜視図である。図１７は第１の実施形態に係る混合トレーとヘラの使用状態を示す斜視図である。
【００２０】
第１の実施形態に係る混合トレー用ブランクシート１０は、図１〜図１０に示すように、平板状に形成され、接着剤組成物の第１成分と第２成分とが載せられる平面１１と、平面１１とは反対側の面である底面１２とを有し、側縁部である長辺部１３ａ、１３ｂ、短辺部１３ｃ、１３ｄに囲まれて平面形状が略矩形状に形成されている。そして、混合トレー用ブランクシート１０の底面１２には、図中二重線で示すように、長辺部１３ａ、１３ｂにそれぞれ始点と終点をもち、内側に向かって凸状の円弧状に形成される折曲自在な折目線１４ａ、１４ｂと、短辺部１３ｃ、１３ｄにそれぞれ始点と終点をもち、内側に向かって凸状の円弧状に形成される折曲自在な折目線１４ｃ、１４ｄとが形成されている。折目線１４ａ、１４ｂ、１４ｃ、１４ｄは互いに独立して形成され、例えば一つの角部１５ａに折目線１４ａの始点又は終点及び折目線１４ｄの終点又は始点があるが、折目線１４ａの始点又は終点と折目線１４ｄの終点又は始点とは交差しない。そして、混合トレー用ブランクシート１０の４つの角部１５ａ、１５ｂ、１５ｃ、１５ｄは、図３に示すように、円弧状に面取り加工が施されている。
【００２１】
このように形成される混合トレー用ブランクシート１０は、平板状であるため、既存の包装部材に新たなスペースを設けることなく、そのまま収容することができ、収容性に優れる。一方、このように形成された混合トレー用ブランクシート１０は、使用時は、図１１〜図１５に示すように、上述した折目線１４ａ、１４ｂ、１４ｃ、１４ｄに沿って折り曲げられる（平面側からみると谷折り）ことにより、底板部１６と、底板部１６から立ち上がる側板部１７ａ、１７ｂ、１７ｃ、１７ｄとを備える混合トレー１０’として成形される。
【００２２】
混合トレー１０’を使用する際、図１６に示すように、ユーザーは一方の手１の親指と人差し指により対向する側板部１７ａ、１７ｂを把持することができ、必要に応じて持ち運びすることができる。側板部１７ａ、１７ｂ、１７ｃ、１７ｄは、ユーザーが片手で把持可能な把持部としての機能を果たすことができる。また、図１７に示すように、混合トレー１０’の底板部１６上に、接着剤組成物の第１成分と第２成分（図示せず）とを載せ、混合トレー１０’の側板部１７ａ、１７ｂに一方の手１を添えたり又は押さえたりしながら、もう一方の手２でヘラ３を持って第１成分と第２成分と混合することができる。このとき、側板部１７ａ、１７ｂ、１７ｃ、１７ｄは、底板部１６上の接着剤が外部に飛び出さないように堰き止める堰き止め部としての機能を果たし、混合された接着剤が混合トレー１０’からはみ出すことを防止し、手や身体への接着剤の付着や、作業環境の汚染を防止することができる。さらに、この立ち上がった側板部１７ａ、１７ｂ、１７ｃ、１７ｄは、接着剤の塗布作業時にヘラ３を仮置きしたり、ヘラ３をしごいたりするための仮置き部及びしごき部としての機能を果たすことができる。
【００２３】
一方、使用後の混合トレー１０’は、残った接着剤を除去することにより再利用が可能である。使用後の混合トレー１０’は、再び平板状に戻すことができることから、使用前後の混合トレー用ブランクシート１０は、後述するように第１成分及び第２成分を収容する収容器と共に包装部材内に収容することが容易で、再利用性且つ収納性に優れている。
【００２４】
ここで、上記混合トレー用ブランクシート１０において、上記折目線１４ａ、１４ｂ、１４ｃ、１４ｄを円弧状に形成することは、折目線を直線状に形成する場合よりも、折曲状態を維持しやすい点からも好ましい。また、折目線１４ａ、１４ｂ、１４ｃ、１４ｄを内側に向かって凸状の円弧状に形成することにより、側板部１７ａ、１７ｂ、１７ｃ、１７ｄが立ち上がった時に底板部１６の中央部が凹部となるように緩やかに湾曲するため、第１成分及び第２成分を混合しやすく、ユーザーも側板部１７ａ、１７ｂ、１７ｃ、１７ｄを取り上げやすい。さらに、折目線１４ａ、１４ｂ、１４ｃ、１４ｄを内側に向かって凸状の円弧状に形成することは、立ち上がった側板部１７ａ、１７ｂ、１７ｃ、１７ｄのうち中央部の幅が両側より大きくなり該中央部をユーザーが把持しやすくなる点からも好ましい。特に、その対向する側板部１７ａ、１７ｂが立ち上がると、底板部１６の中央がくびれるため、ユーザーは対向する側板部１７ａ、１７ｂを跨ぐような形で把持しやすくなる。
【００２５】
本実施形態に係る混合トレー用ブランクシート１０において、折目線を形成する方法としては、底面１２側に厚みの半分以上に切り目を施す半切加工（ハーフカット）、平面１１側にＶ字の溝を施すＶ字溝加工、複数の貫通孔が連なるミシン目加工等を挙げることができる。本実施形態において、Ｖ字溝加工のように金型を必要とせず、トムソン型（木型）による加工が可能なため、比較的安価に加工可能である点、また再利用のしやすさ（溝やミシン目に接着剤が入らない等）の点から、底面１２側に施す半切加工が好ましく用いられる。
【００２６】
また、本実施形態に係る混合トレー用ブランクシート１０においては、角部１５ａ、１５ｂ、１５ｃ、１５ｄに面取り加工が施されている。角部１５ａ、１５ｂ、１５ｃ、１５ｄに面取り加工が施されていることにより、角部が鋭利なままである場合に比べ、角部１５ａ、１５ｂ、１５ｃ、１５ｄによる引っ掻り等がなくなり、安全性が向上する。また、角部１５ａ、１５ｂ、１５ｃ、１５ｄに面取り加工が施されることにより、ユーザーに柔らかな印象を与えて意匠性にも優れる。
【００２７】
上述した混合トレー用ブランクシート１０の素材は、特に限定されないが、接着剤の硬化物を除去しやすい点から、難接着素材であることが好ましい。難接着素材しては、従来公知のものを用いることができるが、例えば、ポリプロピレン、ポリエチレン、ナイロン、シリコン、フッ素樹脂等が好ましく用いられる。これら材料は、強度、生産コストにも優れ、また混合トレー用ブランクシート１０を再利用する際には、底板部１６に載せられた接着剤を剥離させやすい点から好ましい。また、素材自体が難接着素材でなくとも、難接着性となるように加工された素材であってもよい。さらに、混合トレー用ブランクシート１０は、コートボール紙、パルプモールド等の紙等で補強してもよい。
【００２８】
混合トレー用ブランクシート１０の形状は、矩形状、多角形状、円形、楕円形状、その他これらを組み合わせた形状であってもよいが、シートを切断して製造する工程上、破棄する部分が少なくてすむ略矩形状であることが好ましい。
【００２９】
上記混合トレー用ブランクシート１０の大きさは、手で押さえられないほど過小、手で持てないほど過大でなければ、特に限定されず、包装部材への収納性を考慮し、適宜設計されればよい。
【００３０】
このように、本実施形態に係る混合トレー用ブランクシート１０（混合トレー１０’）は、複雑な機構や構造によらず、容易に成形することができる形状でありながら、従来の平板状の混合トレーに比べ、作業性、利便性及び意匠性を向上させることが可能である。さらに、本実施形態に係る混合トレー用ブランクシート１０（混合トレー１０’）は、ユーザーの右利き、左利きにかかわらず、同等の使用効果を公平に提供できるものである。
【００３１】
＜第２の実施形態＞
第１の実施形態に係るブランクシート１０おいては、角部１５ａ、１５ｂ、１５ｃ、１５ｄに面取り加工を施したが、例えば、角部に隅切り加工を施す形態であってもよい。
【００３２】
図１８は第２の実施形態に係る混合トレー用ブランクシートの構成を示す底面側斜視図である。図１９は第２の実施形態に係る混合トレー用ブランクシートの構成を示す正面図である。図２０は第２の実施形態に係る混合トレー用ブランクシートの構成を示す平面図である。図２１は第２の実施形態に係る混合トレー用ブランクシートの構成を示す底面図である。図２２は第２の実施形態に係る混合トレー用ブランクシートの構成を示す背面図である。図２３は第２の実施形態に係る混合トレー用ブランクシートの構成を示す左側面図である。図２４は第２の実施形態に係る混合トレー用ブランクシートの構成を示す右側面図である。図２５は第２の実施形態に係る使用時の混合トレーの構成を示す平面側斜視図である。
【００３３】
第２の実施形態に係る混合トレー用ブランクシート２０は、図１８〜図２４に示すように、平板状に形成され、接着剤組成物の第１成分と第２成分とが載せられる平面２１と、平面２１とは反対側の面である底面２２とを有し、長辺部２３ａ、２３ｂ、短辺部２３ｃ、２３ｄに囲まれて平面形状が略矩形状に形成されている。そして、混合トレー用ブランクシート２０の底面２２には、図中二重線で示すように、長辺部２３ａ、２３ｂにそれぞれ始点と終点をもち、内側に向かって凸状の円弧状に形成される折曲自在な折目線２４ａ、２４ｂと、短辺部２３ｃ、２３ｄにそれぞれ始点と終点をもち、内側に向かって凸状の円弧状に形成される折曲自在な折目線２４ｃ、２４ｄとが形成されている。折目線２４ａ、２４ｂ、２４ｃ、２４ｄは互いに独立して形成され、例えば一つの角部２５ａに折目線２４ａの始点又は終点及び折目線２４ｄの終点又は始点があるが、折目線２４ａの始点又は終点と折目線２４ｄの終点又は始点とは交差しない。そして、混合トレー用ブランクシート２０の４つの角部２５ａ、２５ｂ、２５ｃ、２５ｄには、直線状に切り欠く隅切り加工が施されている。
【００３４】
このように形成された混合トレー用ブランクシート２０は、図２５に示すように、上述した折目線２４ａ、２４ｂ、２４ｃ、２４ｄに沿って折り曲げられる（平面側からみると谷折り）ことにより、底板部２６と、底板部２６から立ち上がる側板部２７ａ、２７ｂ、２７ｃ、２７ｄとを備える混合トレー２０’として成形される。
【００３５】
本実施形態に係る混合トレー用ブランクシート２０（混合トレー２０’）においても、上述したように、複雑な機構や構造によらず、容易に成形することができる形状でありながら、従来の平板状の混合トレーに比べ、作業性、利便性及び意匠性を向上させることが可能である。
【００３６】
＜第３の実施形態＞
第１の実施形態に係る混合トレー用ブランクシート１０おいては、長辺部１３ａ、１３ｂ及び短辺部１３ｃ、１３ｄに折目線１４ａ、１４ｂ、１４ｃ、１４ｄが形成される場合について説明したが、対向する長辺部のみに折目線が形成される形態であってもよい。
【００３７】
図２６は第３の実施形態に係る混合トレー用ブランクシートの構成を示す底面側斜視図である。図２７は第３の実施形態に係る混合トレー用ブランクシートの構成を示す正面図である。図２８は第３の実施形態に係る混合トレー用ブランクシートの構成を示す平面図である。図２９は第３の実施形態に係る混合トレー用ブランクシートの構成を示す底面図である。図３０は第３の実施形態に係る混合トレー用ブランクシートの構成を示す背面図である。図３１は第３の実施形態に係る混合トレー用ブランクシートの構成を示す左側面図である。図３２は第３の実施形態に係る混合トレー用ブランクシートの構成を示す右側面図である。図３３は第３の実施形態に係る使用時の混合トレーの構成を示す平面側斜視図である。
【００３８】
第３の実施形態に係る混合トレー用ブランクシート３０は、図２６〜図３２に示すように、平板状に形成され、接着剤組成物の第１成分と第２成分とが載せられる平面３１と、平面３１とは反対側の面である底面３２とを有し、長辺部３３ａ、３３ｂ、短辺部３３ｃ、３３ｄに囲まれて平面形状が略矩形状に形成されている。そして、混合トレー用ブランクシート３０の底面３２の周側縁部には、図中二重線で示すように、長辺部３３ａ、３３ｂにそれぞれ始点と終点をもち、内側に向かって凸状の円弧状に形成される折曲自在な折目線３４ａ、３４ｂが形成されている。混合トレー用ブランクシート３０の４つの角部３５ａ、３５ｂ、３５ｃ、３５ｄには、図２８に示すように、円弧状に面取り加工が施されている。
【００３９】
このように形成された混合トレー用ブランクシート３０は、図３３に示すように、上述した折目線３４ａ、３４ｂに沿って折り曲げられる（平面側からみると谷折り）ことにより、底板部３６と、底板部３６から立ち上がる側板部３７ａ、３７ｂとを備える混合トレー３０’として成形される。
【００４０】
本実施形態に係る混合トレー用ブランクシート３０（混合トレー３０’）においても、上述したように、複雑な機構や構造によらず、容易に成形することができる形状でありながら、従来の平板状の混合トレーに比べ、作業性、利便性及び意匠性を向上させることが可能である。
【００４１】
＜第４の実施形態＞
第１の実施形態に係る混合トレー用ブランクシート１０おいては、長辺部１３ａ、１３ｂ及び短辺部１３ｃ、１３ｄに折目線１４ａ、１４ｂ、１４ｃ、１４ｄが形成される場合について説明したが、対向する短辺部のみに折目線が形成されていてもよい。
【００４２】
図３４は第４の実施形態に係る混合トレー用ブランクシートの構成を示す底面側斜視図である。図３５は第４の実施形態に係る混合トレー用ブランクシートの構成を示す正面図である。図３６は第４の実施形態に係る混合トレー用ブランクシートの構成を示す平面図である。図３７は第４の実施形態に係る混合トレー用ブランクシートの構成を示す底面図である。図３８は第４の実施形態に係る混合トレー用ブランクシートの構成を示す背面図である。図３９は第４の実施形態に係る混合トレー用ブランクシートの構成を示す左側面図である。図４０は第４の実施形態に係る混合トレー用ブランクシートの構成を示す右側面図である。図４１は第４の実施形態に係る使用時の混合トレーの構成を示す平面側斜視図である。
【００４３】
第４の実施形態に係る混合トレー用ブランクシート４０は、図３４〜図４０に示すように、平板状に形成され、接着剤組成物の第１成分と第２成分とが載せられる平面４１と、平面４１とは反対側の面である底面４２とを有し、長辺部４３ａ、４３ｂ、短辺部４３ｃ、４３ｄに囲まれて平面形状が略矩形状に形成されている。そして、混合トレー用ブランクシート４０の底面４２には、図中二重線で示すように、短辺部４３ｃ、４３ｄにそれぞれ始点と終点をもち、内側に向かって凸状の円弧状に形成される折曲自在な折目線４４ｃ、４４ｄが形成されている。混合トレー用ブランクシート４０の４つの角部４５ａ、４５ｂ、４５ｃ、４５ｄには、図３６に示すように、円弧状に面取り加工が施されている。
【００４４】
このように形成された混合トレー用ブランクシート４０は、図４１に示すように、上述した折目線４４ａ、４４ｂに沿って折り曲げられる（平面側からみると谷折り）ことにより、底板部４６と、底板部４６から立ち上がる側板部４７ｃ、４７ｄとを備える混合トレー４０’として成形される。
【００４５】
本実施形態に係る混合トレー用ブランクシート４０（混合トレー４０’）においても、上述したように、複雑な機構や構造によらず、容易に成形することができる形状でありながら、従来の平板状の混合トレーに比べ、作業性、利便性及び意匠性を向上させることが可能である。
【００４６】
第４の実施形態に係る混合トレー用ブランクシート４０が発明に該当するのはもちろんのこと、第４の実施形態に係る混合トレー用ブランクシート４０を意匠として捉えることもできる。そして、第４の実施形態に係る混合トレー用ブランクシート４０は、全体意匠として捉えることができるのは勿論のこと、短辺部４３ｃ、４３ｄに形成される折目線４４ｃ、４４ｄの部分を特徴とする部分意匠として捉えることもできる。
【００４７】
図４２は部分意匠の表現方法に基づいて表現する、第４の実施形態に係る混合トレー用ブランクシートの構成を示す底面側斜視図である。図４３は部分意匠の表現方法に基づいて表現する、第４の実施形態に係る混合トレー用ブランクシートの構成を示す正面図である。図４４は部分意匠の表現方法に基づいて表現する、第４の実施形態に係る混合トレー用ブランクシートの構成を示す平面図である。図４５は部分意匠の表現方法に基づいて表現する、第４の実施形態に係る混合トレー用ブランクシートの構成を示す底面図である。図４６は部分意匠の表現方法に基づいて表現する、第４の実施形態に係る混合トレー用ブランクシートの構成を示す背面図である。図４７は部分意匠の表現方法に基づいて表現する、第４の実施形態に係る混合トレー用ブランクシートの構成を示す左側面図である。図４８は部分意匠の表現方法に基づいて表現する、第４の実施形態に係る混合トレー用ブランクシートの構成を示す右側面図である。図４９は部分意匠の表現方法に基づいて表現する、第４の実施形態に係る使用時の混合トレーの構成を示す平面側斜視図である。図４２〜図４９中、部分意匠として捉えることができる部分を実線で、それ以外の部分を破線で表す。
【００４８】
第４の実施形態に係る混合トレー用ブランクシート４０は、図４２〜図４８に示すように、平板状に形成され、接着剤組成物の第１成分と第２成分とが載せられる平面４１と、平面４１とは反対側の面である底面４２とを有し、長辺部４３ａ、４３ｂ、短辺部４３ｃ、４３ｄに囲まれて平面形状が略矩形状に形成されている。そして、混合トレー用ブランクシート４０の底面４２には、図中二重線で示すように、短辺部４３ｃ、４３ｄにそれぞれ始点と終点をもち、内側に向かって凸状の円弧状に形成される折曲自在な折目線４４ｃ、４４ｄが形成されている。そして、長辺部４３ａ、４３ｂにおいても、例えば内側に向かって凸状の円弧状に形成される折曲自在な折目線４４ａ、４４ｂを有していてもよい。混合トレー用ブランクシート４０の４つの角部４５ａ、４５ｂ、４５ｃ、４５ｄには、図４４に示すように、円弧状に面取り加工が施されている。
【００４９】
このように形成された混合トレー用ブランクシート４０は、図４９に示すように、上述した折目線４４ａ、４４ｂ、４４ｃ、４４ｄに沿って折り曲げられる（平面側からみると谷折り）ことにより、底板部４６と、底板部４６から立ち上がる側板部４７ｃ、４７ｄと、例えば側板部４７ａ、４７ｂとを備える混合トレー４０’として成形される。
【００５０】
本実施形態に係る混合トレー用ブランクシート４０（混合トレー４０’）においても、上述したように、複雑な機構や構造によらず、容易に成形することができる形状でありながら、従来の平板状の混合トレーに比べ、作業性、利便性及び意匠性を向上させることが可能である。
【００５１】
＜接着剤キット＞
本実施形態に係る接着剤キットは、接着剤組成物の第１成分を収容する第１収容器と、該接着剤組成物の第２成分を収容する第２収容器と、第１収容器及び第２収容器から取り出された第１成分と第２成分とを混合及び／又は塗布するためのヘラと、上述した第１〜第４の実施形態に係る混合トレー用ブランクシートのいずれかの混合トレー用ブランクシートとが、同一の包装部材により包装されてなる。
【００５２】
上記接着剤組成物の第１成分、第２成分には、両成分混合後に硬化が開始、若しくは促進される従来公知の成分を用いることができる。また、これら第１成分及び第２成分を収容する収容器としては、特に限定されるものではなく、従来公知の、チューブ等を用いることができる。包装部材としても、特に限定されるものではなく、従来公知の紙箱や、中身を視認可能に包装する、いわゆるブリスターパック等を用いることができる。ヘラも同様に、特にその形状、素材が限定されるものではなく、従来公知のものを用いることができる。本実施形態に係る接着剤キットにおいては、上述した混合トレー用ブランクシートを備えていることから、従来と同様に包装部材への収納性に優れつつ、従来の平板状の混合トレーを使用する場合に比べ、作業性、利便性が向上する。
【符号の説明】
【００５３】
１０、２０、３０、４０  混合トレー用ブランクシート
１０’、２０’、３０’、４０’  混合トレー
１１、２１、３１、４１  平面
１２、２２、３２、４２  底面
１３ａ、１３ｂ、２３ａ、２３ｂ、３３ａ、３３ｂ、４３ａ、４３ｂ  長辺部
１３ｃ、１３ｄ、２３ｃ、２３ｄ、３３ｃ、３３ｄ、４３ｃ、４３ｄ  短辺部
１４、２４、３４、４４  折目線
１５、２５、３５、４５  角部
１６、２６、３６、４６  底板部
１７、２７、３７、４７  側板部
【図１】
0006759646.tif 000002
【図２】
0006759646.tif 000003
【図３】
0006759646.tif 000004
【図４】
0006759646.tif 000005
【図５】
0006759646.tif 000006
【図６】
0006759646.tif 000007
【図７】
0006759646.tif 000008
【図８】
0006759646.tif 000009
【図９】
0006759646.tif 000010
【図１０】
0006759646.tif 000011
【図１１】
0006759646.tif 000012
【図１２】
0006759646.tif 000013
【図１３】
0006759646.tif 000014
【図１４】
0006759646.tif 000015
【図１５】
0006759646.tif 000016
【図１６】
0006759646.tif 000017
【図１７】
0006759646.tif 000018
【図１８】
0006759646.tif 000019
【図１９】
0006759646.tif 000020
【図２０】
0006759646.tif 000021
【図２１】
0006759646.tif 000022
【図２２】
0006759646.tif 000023
【図２３】
0006759646.tif 000024
【図２４】
0006759646.tif 000025
【図２５】
0006759646.tif 000026
【図２６】
0006759646.tif 000027
【図２７】
0006759646.tif 000028
【図２８】
0006759646.tif 000029
【図２９】
0006759646.tif 000030
【図３０】
0006759646.tif 000031
【図３１】
0006759646.tif 000032
【図３２】
0006759646.tif 000033
【図３３】
0006759646.tif 000034
【図３４】
0006759646.tif 000035
【図３５】
0006759646.tif 000036
【図３６】
0006759646.tif 000037
【図３７】
0006759646.tif 000038
【図３８】
0006759646.tif 000039
【図３９】
0006759646.tif 000040
【図４０】
0006759646.tif 000041
【図４１】
0006759646.tif 000042
【図４２】
0006759646.tif 000043
【図４３】
0006759646.tif 000044
【図４４】
0006759646.tif 000045
【図４５】
0006759646.tif 000046
【図４６】
0006759646.tif 000047
【図４７】
0006759646.tif 000048
【図４８】
0006759646.tif 000049
【図４９】
0006759646.tif 000050